(57)【要約】【課題】  本発明は、ケーシングにおける位置調整機構を作用させ、本体及び軸を可動させた際であっても、本体とパッキンとの間に隙間を生じさせることなく、防水効果を損なう虞のないフロアヒンジを提供する。【解決手段】ドアの下端を枢支する軸部を上方に突出するとともに、ドアを閉塞方向に付勢する機能を備えた本体を、位置調整機構を具備し上端に開口部を有するケーシング内に収納し、本体を直接覆うパッキンを具備するフロアヒンジにおいて、本体を覆設するベース部と、軸部の外周面に内面が当接する筒状部と、ベース部と筒状部との境界に設けられる伸縮部とからなり、これらを弾性又は伸縮性を有する合成ゴム若しくは合成樹脂によって一体に成形したパッキンを具備することを特徴とするフロアヒンジ。【選択図】  図１
2010101074.tif 000002
【特許請求の範囲】
【請求項１】
ドアの下端を枢支する軸部を上方に突出するとともに、ドアを閉塞方向に付勢する機能を備えた本体を、位置調整機構を具備し上端に開口部を有するケーシング内に収納し、本体を直接覆うパッキンを具備するフロアヒンジにおいて、
本体を覆設するベース部と、
軸部の外周面に内面が当接する筒状部と、
ベース部と筒状部との境界に設けられる伸縮部とからなり、
これらを弾性又は伸縮性を有する合成ゴム若しくは合成樹脂によって一体に成形したパッキンを具備することを特徴とするフロアヒンジ。
【請求項２】
伸縮部を軸部の周りに環状に設け、当該断面形状を波形状としたことを特徴とする請求項１に記載のフロアヒンジ。
【発明の詳細な説明】
【技術分野】
【０００１】
本発明は、ドアの下端を枢支しドアの閉塞方向に付勢する機能を備え、上面が床面とほぼ一面上になるように、床に埋め込まれるフロアヒンジに関するものである。
【背景技術】
【０００２】
従来から、建物の扉の下部を支持すべく床面に埋め込まれるようにして用いる扉閉鎖装置の一例として、フロアヒンジが公知である。
例えば、本願発明の出願人は、フロアヒンジにおけるケーシング内への水の浸入を防止し、オーバーフローした水により床面を汚すことなく、更に凍結によるフロアヒンジの故障をなくすようにしたフロアヒンジについて出願を行っている（例えば、特許文献１及び特許文献２参照）。
【特許文献１】特許公報  第３６５４８８６号公報
【特許文献２】特許公報  第３６５４８８７号公報
【０００３】
特許文献１に記載のフロアヒンジは、本体を直接覆うように設けられたゴムパッキンは外周がケーシングの外周壁の上端フランジ部に粘着剤層により接着され、また膨らみ部の近傍において本体の上面に載り、粘着剤層により接着されているので、ゴムパッキンは外周とケーシングの上端フランジ部との間から水が浸入するのを防止するとともに、キャップ状ゴムパッキンの筒部と本体から突出する軸との間から浸入した水が膨らみ部の近傍における本体の上面とゴムパッキンの裏面との間からゴムパッキンの下方に浸入するのを防止することができるものである。
【０００４】
一方、前記ケーシングは本体の位置調整を可能とする機構を具備しているが、ゴムパッキンは外周がケーシングの外周壁の上端フランジ部に粘着剤層により接着され、また膨らみ部の近傍において本体の上面に載り、粘着剤層により接着されているので、前記本体は位置調節機構によって可動することが困難なものである。また、可動させた場合にあっては、本体上におけるゴムパッキンの粘着剤層に対して摺動しながら可動することになるので、僅かな隙間から入水してしまい、防水効果を損なう虞がある。
【０００５】
特許文献２に記載のフロアヒンジは、本体から突出する軸の下端外周面および膨らみ部の外周面を覆うキャップ状ゴムパッキンが下端の水平な板部の上面に形成された環状の２本の突条部がゴムパッキンの裏面に食い込むことになり、且つ下端の水平な板部の裏面の粘着剤層が本体の上面に重なって接着されることにより、キャップ状ゴムパッキンの上端、つまり筒部の上端と軸との間から浸入した水を板部の裏面と本体の上面との接着により、それ以上の浸入を阻止することができるものである。
【０００６】
一方、前記ケーシングは、特許文献１に記載のフロアヒンジと同様にして、本体の位置調整を可能とする機構を具備しているが、当該機構を作用させた際には、本体の可動に伴ってキャップ状ゴムパッキンも可動することとなり、その可動量によっては２枚のゴムパッキンの間に隙間が生じてしまい、防水効果を損なう虞がある。
【発明の開示】
【発明が解決しようとする課題】
【０００７】
そこで、本発明はこのような問題点を解決するものであって、ケーシングにおける位置調整機構を作用させ、本体及び軸を可動させた際であっても、本体とパッキンとの間に隙間を生じさせることなく、防水効果を損なう虞のないフロアヒンジを提供することを課題とする。
【課題を解決するための手段】
【０００８】
前記問題点を解決するために、本発明の請求項１に記載の発明のフロアヒンジは、ドアの下端を枢支する軸部を上方に突出するとともに、ドアを閉塞方向に付勢する機能を備えた本体を、位置調整機構を具備し上端に開口部を有するケーシング内に収納し、本体を直接覆うパッキンを具備するフロアヒンジにおいて、本体を覆設するベース部と、軸部の外周面に内面が当接する筒状部と、ベース部と筒状部との境界に設けられる伸縮部とからなり、これらを弾性又は伸縮性を有する合成ゴム若しくは合成樹脂によって一体に成形したパッキンを具備することを特徴とするものである。
【０００９】
また、本発明の請求項２に記載の発明のフロアヒンジは、請求項１記載のフロアヒンジにおいて、伸縮部を軸部の周りに環状に設け、当該断面形状を波形状としたことを特徴とするものである。
【発明の効果】
【００１０】
請求項１記載のフロアヒンジに係る発明では、パッキンにおけるベース部と筒状部との境界に伸縮部を設けているので、位置調整機構によって、ドアの取付位置に対する軸部の位置を変更した場合であっても、軸部の変位する側に位置する一方の伸縮部が縮み、当該筒状部を介して対向する位置における他方の伸縮部が伸長するので、本体とパッキンとの間に間隙が生じることなく、本体内への入水を防止することができる。
また、軸部の外周面に内面が当接する筒状部を設けているので、軸部とパッキンの両者は密閉された状態となり、当該両者の間隙から入水するのを防止し、本体内への入水が防止される。更に、これらを一体にして成形していることから、本体への入水を確実に防止することができる。
また、従来製品と比較して、本願発明に係るパッキンは、軸部周りにおけるキャップ状ゴムパッキン及びシート状ゴムパッキンにおける両者の効果を奏することから、部品点数を削減することができ、製造コストを低減することができる。
【００１１】
請求項２記載のフロアヒンジに係る発明では、請求項１記載のフロアヒンジにおいて、伸縮部を軸部の周りに環状に設けたことから、ドアの取付位置に対する軸部の位置をどの方向に変位させた場合であっても、各変位時における負荷を均一とすることができるので、耐久性を向上することができる。
また、伸縮部における当該断面形状を波形状としたことから、蛇腹のように伸縮時に優れた柔軟性を有し、不用意に変形させることなく伸縮させることができる。
【発明を実施するための最良の形態】
【００１２】
以下、本発明の実施の形態におけるフロアヒンジを図面に基づいて説明する。図１は、本発明のフロアヒンジにおける各構成部品の斜視図である。図２は、本発明のフロアヒンジにおけるパッキンの正面断面図である。図３は、本発明のフロアヒンジにおける正面断面図である。図４は、本発明のフロアヒンジにおける軸部近郊の拡大正面断面図である。図５は、本発明のフロアヒンジにおける軸部の位置調整を行った後の軸部近郊の拡大正面断面図である。
【実施例】
【００１３】
本発明のフロアヒンジ１について、図１乃至図５に基づいて説明する。
【００１４】
本願発明の実施の形態に係るフロアヒンジ１は、図１に示すように、ドアの閉塞方向に付勢する機能を具備する本体３、ドアの下端を枢支し本体３の一端部に突設される軸部４、本体３を位置調整可能に収納するケーシング２、本体３への入水を防止するパッキン５、ケーシング２の蓋の役目をするプレート６及び軸部４へ取付けられるキャップ７から構成されている。
【００１５】
軸部４を具備する本体３及びケーシング２は、従来のフロアヒンジと略同様のものであり、位置調整機構（図示しない）によって、ドアの取付位置に対する軸部４の位置を変更し得るものである。また、ケーシング２の上端部には、上端フランジ部２ａが形成されており、パッキン５及びプレート６を取り付ける為のねじ孔２ｂが設けられている。
【００１６】
パッキン５は、図１及び図２に示すように、例えば、ニトリルゴム（ＮＢＲ）、その他弾性又は伸縮性を有する合成ゴム若しくは弾性又は伸縮性を有する合成樹脂等を材質として、ケーシング２における上端フランジ部２ａの外形と略同形状にベース部５ａが形成される。また、ベース部５ａの一端部であって、軸部４の上方位置には、筒状部５ｄが突設して形成されており、筒状部５ｄには軸部４における外径と略同径の貫通孔５ｅが設けられている。更に、図４に示すように、軸部４の下端部に形成される軸段部４ａの形状に沿うように、筒状部５ｄの下端部には段部５ｃが形成されている。すなわち、軸部４にパッキン５における筒状部５ｄが取り付けられると、軸部４の外周面に沿って筒状部５ｄの内面が当接することになる。また、段部５ｃの外側であって、ベース部５ａとの境界には伸縮部５ｂが形成されている。当該伸縮部５ｂは、筒状部５ｄの周りに環状に形成され、断面は波形状に形成されている。これらのベース部５ａ、伸縮部５ｂ、段部５ｃ及び筒状部５ｄは、一体にて成形されている。
【００１７】
当該伸縮部５ｂを軸部４の周りに環状に設けたことから、ドアの取付位置に対する軸部４の位置をどの方向に変位させた場合であっても、各変位時における負荷を均一とすることができ、耐久性を向上することができるので好ましい。また、当該伸縮部５ｂにおける断面形状を波形状としたことから、伸縮時には蛇腹のように優れた柔軟性を有し、不用意に変形することなく伸縮させることができるので好ましい。
【００１８】
もちろん、伸縮部５ｂの形状については、環状に限られることなく、三角形状、四角形状、その他多角形状等であってもよいものである。更に、当該断面形状にあっては、波形状に限られることなく、一方の伸縮部５ｂが伸長することにより、筒状部５ｄを介して対向する他方の伸縮部５ｂが縮むといった趣旨であればよく、その断面形状は制限されるものではない。
【００１９】
また、パッキン５をケーシング２における上端フランジ部２ａに載置した際に、上端フランジ部２ａに形成されるねじ孔２ｂと一致する箇所には貫通孔５ｆが設けられている。
【００２０】
プレート６は、ステンレス等の防錆効果を有するものであり、パッキン５と略同形状に形成されている。また、一端部には、パッキン５における伸縮部５ｂと略同形状の挿通孔６ａが形成されており、プレート６をパッキン５に載置した際に、貫通孔５ｆと一致する箇所には貫通孔６ｂが設けられている。
【００２１】
キャップ７は、プレート６と同様にしてステンレス等の防錆効果を有するものであり、プレート６における挿通孔６ａより外形を大きくして、断面略コ字状に折曲され、軸部４を挿通する貫通孔７ａが設けられている。
【００２２】
これらの構成部品は、図１、図３及び図４に示すように、パッキン５における貫通孔５ｅ及びプレート６における挿通孔６ａに軸部４を挿通して、ケーシング２における上端フランジ部２ａにパッキン５及びプレート６を載置し、ねじ止めして組み立てられる。また、軸部４にはキャップ７が取付けられ、外観上の体裁をよくするとともに、不用意な入水を防止している。このようにして構成されるフロアヒンジ１は、軸部４に当該外径と略同径の貫通孔５ｅを有するパッキン５が取付けられていることから、軸部４とパッキン５の両者は密閉された状態となり、当該両者の間隙から入水するのを防止し、本体３内への入水が防止される。また、上端フランジ部２ａに接着剤層を設けることで、ケーシング２の外周壁における密閉性を向上させることもできる。
【００２３】
次に、位置調整機構によって、ドアの取付位置に対する軸部４の位置を変更させた状態について、図４及び図５に基づいて説明する。
図４における軸部４の位置をＸ方向に変位させた図５の状態においては、軸部４のＸ方向の変位に伴いパッキン５における筒状部５ｄも連動してＸ方向に変位する。このとき、筒状部５ｄの周りは伸縮部５ｂにて形成されている為、Ｘ方向に変位する側に位置する一方の伸縮部５ｂ（図５におけるＰ部）が縮み、当該筒状部５ｄを介して対向する位置における他方の伸縮部５ｂ（図５におけるＱ部）が伸長することになる。また、軸部４の変位に伴い、キャップ７も連動してＸ方向に変位するので、プレート６とキャップ７との間隙８より入水する虞があるが、パッキン５はベース部５ａ、伸縮部５ｂ、段部５ｃ及び筒状部５ｄが一体にて成形されている為、本体３内まで入水する虞はない。
【００２４】
以上、説明した本発明の実施例に係るフロアヒンジ１によれば、パッキン５に伸縮部５ｂを設けているので、位置調整機構によって、ドアの取付位置に対する軸部４の位置を変更させた場合であっても、軸部４が変位する側に位置する一方の伸縮部５ｂが縮み、当該筒状部５ｄを介して対向する位置における他方の伸縮部５ｂが伸長するので、本体３とパッキン５との間に間隙が生じることはなく、本体３内への入水を防止することができる。更に、軸部４の外径と略同径の貫通孔５ｅを有する筒状部５ｄをパッキン５に設けているので、軸部４とパッキン５の両者は密閉された状態となり、当該両者の間隙から入水するのを防止し、本体３内への入水が防止される。これらによって、本体３への入水を確実に防止することができる。
また、従来製品と比較して、本願発明に係る一体して成形されたパッキン５は、軸部４周りにおけるキャップ状ゴムパッキン及びシート状ゴムパッキンにおける両者の効果を奏することから、部品点数を削減することができ、製造コストを低減することができる。
【図面の簡単な説明】
【００２５】
【図１】本発明のフロアヒンジにおける各構成部品の斜視図である。
【図２】本発明のフロアヒンジにおけるパッキンの正面断面図である。
【図３】本発明のフロアヒンジにおける正面断面図である。
【図４】本発明のフロアヒンジにおける軸部近郊の拡大正面断面図である。
【図５】本発明のフロアヒンジにおける軸部の位置調整を行った後の軸部近郊の拡大正面断面図である。
【符号の説明】
【００２６】
１      フロアヒンジ
２      ケーシング
２ａ    上端フランジ部
２ｂ    ねじ孔
３      本体
４      軸部
４ａ    軸段部
５      パッキン
５ａ    ベース部
５ｂ    伸縮部
５ｃ    段部
５ｄ    筒状部
５ｅ    貫通孔
５ｆ    貫通孔
６      プレート
６ａ    挿通孔
６ｂ    貫通孔
７      キャップ
７ａ    貫通孔
８      間隙
【図１】
2010101074.tif 000003
【図２】
2010101074.tif 000004
【図３】
2010101074.tif 000005
【図４】
2010101074.tif 000006
【図５】
2010101074.tif 000007